(57)【特許請求の範囲】
【請求項１】
電流が印加されることにより発光する半導体素子である光源に電流を印加する駆動部と、
前記光源が取り付けられると共に、発光により発生した熱が伝達可能とされたヒートシンクと、
該ヒートシンクに取り付けられ、前記光源の温度の推定に用いられる前記ヒートシンクの温度を測定する温度測定部と、
前記駆動部を制御する制御部と、
が設けられ、
前記ヒートシンクには前記駆動部がさらに取り付けられ、
前記温度測定部、前記光源、および、前記駆動部における発熱部の相対配置位置は、前記温度測定部が前記駆動部における発熱部から受ける熱の影響よりも、前記光源から受ける熱の影響が大きくなる相対配置位置であり、
前記制御部は、前記温度測定部により測定された温度における時間の経過に伴う変化である温度変化率を求め、少なくとも当該温度変化率に基づいて前記光源の不具合の有無を判定することを特徴とする点灯装置。
【請求項２】
前記制御部には、異なる種類の発光する半導体素子における電流と光出力との関係、および、温度と光出力との関係が予め記憶され、
前記制御部は、前記駆動部から前記光源に印加される電流、および、前記温度測定部により測定された温度に基づいて、前記駆動部により電流が印加された前記光源として用いられた発光する半導体素子の種類を判別し、判別した発光する半導体素子の種類に応じて前記駆動部から前記光源に印加される電流を制御することを特徴とする請求項１記載の点灯装置。
【請求項３】
前記ヒートシンク、および、前記光源の少なくとも一方に空気を送るファンと、
少なくとも前記温度測定部により測定された温度に基づいて、前記ファンの回転を制御
する制御部と、が更に設けられ、
前記制御部には、前記光源における電流と光出力との関係、および、温度と光出力との関係が予め記憶され、
前記制御部は、前記光源における光出力、および、前記光源の温度の少なくとも一方が所定の範囲に収まるように前記ファンの回転数を制御することを特徴とする請求項１記載の点灯装置。
【請求項４】
電流が印加されることにより発光する半導体素子である光源と、
請求項１から３のいずれか１項に記載された点灯装置と、
前記光源および前記点灯装置を内部に収納する筺体と、
が設けられていることを特徴とする灯具。
【発明の詳細な説明】
【技術分野】
【０００１】
本発明は、光源を点灯させる点灯装置および灯具に関し、特にＬＥＤ（ＬＩｇｈｔ  Ｅｍｉｔｔｉｎｇ  Ｄｉｏｄｅ：発光ダイオード）が光源である場合に用いて好適な点灯装置および灯具に関する。
【背景技術】
【０００２】
近年、灯具の光源としてＬＥＤなどの半導体光源が用いられたものが実用化され、ＬＥＤを光源とした灯具が広く用いられ始めている。例えば、車両の前照灯において、ＬＥＤを光源として用いたものも提案されている（例えば、特許文献１参照。）。
【０００３】
ＬＥＤは、従来の白熱電球などと比較して寿命が長く、点灯と同時に最大光量が得られるという利点がある一方で、熱に弱いという欠点を有している。例えば、ＬＥＤ自身の発光により発生する熱によって、ＬＥＤの温度が高くなると素子の劣化が進み、寿命が本来の長さよりも短くなったり、ＬＥＤから出射される光量が低下したりするという問題があった。
【０００４】
特許文献１に記載された車両用前照灯では、アルミダイカスト鋳造品で構成されたブラケットにＬＥＤ光源を取付けることにより、ブラケットをＬＥＤにおいて発生した熱を逃がすヒートシンクとして利用している。このようにすることで、発光時におけるＬＥＤの温度上昇が抑制されている。
【０００５】
また、ＬＥＤを光源とする灯具には、ＬＥＤの点灯に用いられる駆動回路が設けられ、ＬＥＤと離れた位置に別体に設けられている。この駆動回路には、ＬＥＤの温度を測定する温度測定部も設けられている。発光によりＬＥＤにおいて発生した熱は、ＬＥＤからブラケット等のヒートシンクを介して、灯具内部に空気に放熱される。空気に伝わった熱は、空気の自然対流による灯具の内部全体に分散し、分散した熱が温度測定部により測定される。言い換えると、温度測定部は、ヒートシンクや灯具内の空気を介してＬＥＤの温度を測定している。
【先行技術文献】
【特許文献】
【０００６】
【特許文献１】特開２００７−０３５５４７号公報
【発明の概要】
【発明が解決しようとする課題】
【０００７】
上述のように、ＬＥＤの温度を、ヒートシンクや灯具内の空気を介して測定する方法では、温度が伝わる経路が長くて外部の影響を受けやすいため、ＬＥＤの温度を正確に測定することが難しいという問題があった。さらに、ＬＥＤの温度が変化した場合、温度の変化が伝わる速度が遅いため、当該温度の変化を測定するまでに時間がかかるという問題があった。
【０００８】
本発明は、上記の課題を解決するためになされたものであって、光源の温度を精度よく測定することができる点灯装置および灯具を提供することを目的とする。
【課題を解決するための手段】
【０００９】
上記目的を達成するために、本発明は、以下の手段を提供する。
本発明の点灯装置には、電流が印加されることにより発光する半導体素子である光源に電流を印加する駆動部と、光源が取り付けられると共に、発光により発生した熱が伝達可能とされたヒートシンクと、このヒートシンクに取り付けられ、光源の温度の推定に用いられるヒートシンクの温度を測定する温度測定部と、が設けられている。
【００１０】
本発明の点灯装置によれば、光源で発生した熱はヒートシンクに伝わり、ヒートシンクに伝わった熱は温度測定部により測定される。つまり、光源の温度は、空気などの流体を介在させることなく、ヒートシンクなどの固体を介して温度測定部により測定される。ヒートシンクには、駆動部がさらに取り付けられ、温度測定部、光源、および、駆動部における発熱部の相対配置位置は、温度測定部が駆動部における発熱部から受ける熱の影響よりも、光源から受ける熱の影響が大きくなる相対配置位置であることが望ましい。更に駆動部を制御する制御部が設けられ、温度測定部により測定された温度における時間の経過に伴う変化である温度変化率を求め、少なくとも当該温度変化率に基づいて光源の不具合の有無を判定することが望ましい。
【００１１】
ヒートシンク等の個体は、空気などの流体と異なり、対流などの物質の移動を伴う熱の移動がないため、ヒートシンク内における熱の移動を把握しやすい。そのため、ヒートシンクにおける光源が取り付けられている位置と、温度測定部が取り付けられている位置と、ヒートシンクを構成する材料および形状が予め判れば、温度測定部が測定したヒートシンクの温度に基づいて、光源の温度を推定することができる。
【００１３】
温度測定部は、駆動部における発熱部の影響を受けることなく、または、発熱部の影響を無視して、ヒートシンクを介して光源の温度を測定することができる。温度測定部が駆動部における発熱部から受ける熱の影響よりも、光源から受ける熱の影響が大きくなる相対位置としては、例えば、温度測定部から駆動部における発熱部までの距離が、温度測定部から光源までの距離よりも長い場合を挙げることができる。
【００１４】
さらに、ヒートシンクに駆動部を取付けることにより、駆動部が光源およびヒートシンクとは独立して別個に配置された特許文献１の車両用前照灯と比較して、点灯装置の構成を小型化することができる。さらに光源の熱を逃がすヒートシンクと、駆動部の熱を逃がすヒートシンクとを共通化することで、別々にヒートシンクを設けた場合と比較して、点灯装置の構成を小型化することができる。これにより、本発明の点灯装置を備えた灯具も小型化でき、灯具を可能な限り小型化したいという車両側の要望に応えることができる。また、駆動部から光源までの距離を短縮することができ、駆動部と光源との間の配置される配線を短くすることができる。更に、光源に印加される電流にノイズが含まれることを抑制することができる。
光源である発光する半導体素子におけるチップショートなどの不具合を発見することができる。つまり、光源への電流の印加を開始した時点から、温度測定部により測定された温度の時間経過に伴う変化が、予め記憶されている光源が正常に動作している時の変化と同じか異なるかを判定することにより、制御部は、光源である発光する半導体素子に不具合が発生しているか否かを判定することができる。更に、不具合の種類ごとに、温度測定部により測定された温度の時間経過に伴う変化を予め記憶し、測定された温度の時間経過に伴う変化が、どの変化と一致するか判定することにより、制御部は、光源で発生した不具合の種類を判定することも可能である。
【００１５】
上記発明の制御部には、異なる種類の発光する半導体素子における電流と光出力との関係、および、温度と光出力との関係が予め記憶され、制御部は、駆動部から光源に印加される電流、および、温度測定部により測定された温度に基づいて、駆動部により電流が印加された光源として用いられた発光する半導体素子の種類を判別し、判別した発光する半導体素子の種類に応じて駆動部から光源に印加される電流を制御することが望ましい。
【００１６】
このようにすることで、特性の異なる発光する半導体素子（ＬＥＤ）に対して、発光時における温度が所望の範囲に収まるように、印加する電流を制御することができる。つまり、駆動部から光源に印加される電流の情報と、温度測定部により測定された温度の情報とが入力された制御部は、発光する半導体素子の種類ごとに異なる電流と光出力との関係、および、温度と光出力との関係に基づいて、光源として用いられている発光する半導体素子の種類を判定することができる。さらに、制御部は、判定された発光する半導体素子の種類に対応する電流と光出力との関係、および、温度と光出力との関係に基づいて、光源に印加する電流を制御することにより、光源の発光時における光出力や温度を所望の範囲に収めることができる。
【００１９】
上記発明には、ヒートシンク、および、光源の少なくとも一方に空気を送るファンと、少なくとも温度測定部により測定された温度に基づいて、ファンの回転を制御する制御部と、が更に設けられ、制御部には、光源における電流と光出力との関係、および、温度と光出力との関係が予め記憶され、制御部は、光源における光出力、および、光源の温度の少なくとも一方が所定の範囲に収まるようにファンの回転数を制御することが望ましい。
【００２０】
このようにすることで、制御部によってヒートシンクおよび光源の少なくとも一方に送られる空気の流量が調節され、光源における光出力、または、光源の温度が所定の範囲に収められる。
【００２１】
制御部には、温度測定部により測定された温度の情報が入力されると共に、駆動部から光源に印加される電流の情報が入力される。制御部は、入力された電流の情報と、電流と光出力との関係と、から電流の情報に基づく光出力を求める。そして制御部は、入力された温度の情報と、電流の情報に基づく光出力と、温度の光出力との関係と、から光源における光出力を推定する。例えば、光源の温度上昇により推定された光出力が減少して所定の範囲から外れた場合、制御部は、ファンに対して回転数を増加させる制御信号を出力して、光源の温度を直接下げる、または、ヒートシンクの温度を下げることにより間接的に光源の温度を下げる制御を行う。これにより、光源における推定された光出力が増加して、推定された光出力は所定の範囲内に収まる。反対に、光源の温度が下がりすぎて推定された光出力が増加して所定の範囲から外れた場合には、制御部は、ファンに対して回転数を減少させる制御信号を出力して、光源の温度を直接上げる、または、ヒートシンクの温度を上げることにより間接的に光源の温度を上げる制御を行う。これにより、光源における推定された光出力が減少して、推定された光出力は所定の範囲内に収まる。
【００２２】
光源における光出力や温度における所定の範囲とは、点灯装置が用いられる分野において許容される光出力の変動範囲が異なるため、一律に定めることは難しい。例えば、光源から出射された光が照射された領域における照度の変動が、利用者によって知覚されない、または、近くされにくい程度の範囲を例示することができる。
【００２３】
本発明の灯具には、電流が印加されることにより発光する半導体素子である光源と、上記本発明に記載の点灯装置と、光源および点灯装置を内部に収納する筺体と、が設けられている。本発明の灯具によれば、上述の本発明の点灯装置を備えるため、光源の温度を精度よく測定することができる。
【発明の効果】
【００２４】
本発明の点灯装置および灯具によれば、光源の温度を、空気などの流体を介在させることなく、ヒートシンクなどの固体を介して温度測定部により測定することにより光源の温度を精度よく測定することができるという効果を奏する。
【図面の簡単な説明】
【００２５】
【図１】本発明の第１の実施形態に係る車両用灯具の構成を説明するブロック図である。
【図２】図１の車両用灯具の構成を説明する断面視図である。
【図３】図２の点灯装置の構成を説明する斜視図である。
【図４】図２の点灯装置の構成を説明する断面視図である。
【図５】本発明の第１の実施形態の変形例におけるＬＥＤに印加される電流の制御を説明するフローチャートである。
【図６】制御部に予め記憶されている電流の値と光束との関係、および、温度と光束との関係を示すグラフである。
【図７】本発明の第２の実施形態に係る車両用灯具の構成を説明するブロック図である。
【図８】図７の車両用灯具におけるファンの駆動制御を説明するフローチャートである。
【図９】本発明の第３の実施形態に係る車両用灯具の構成を説明するブロック図である。
【図１０】図９の車両用灯具におけるＬＥＤの不具合発生を判定する処理を説明するフローチャートである。
【図１１】本発明の第４の実施形態に係る車両用灯具の構成を説明するブロック図である。
【図１２】図１１の車両用灯具の別の実施例を説明するブロック図である。
【図１３】図１１の車両用灯具の更に別の実施例を説明するブロック図である。
【図１４】図１２の車両用灯具の更に別の実施例を説明するブロック図である。
【図１５】本発明の第５の実施形態に係る車両用灯具の構成を説明するブロック図である。
【発明を実施するための形態】
【００２６】
〔第１の実施形態〕
以下、本発明の第１の実施形態に係る車両用灯具ついて図１から図４を参照して説明する。図１は、本実施形態に係る車両用灯具１の構成を説明するブロック図であり、図２は、図１の車両用灯具１の構成を説明する断面視図である。図３は、図２の点灯装置４０の構成を説明する斜視図であり、図４は、図２の点灯装置４０の構成を説明する断面視図である。
【００２７】
本実施形態の車両用灯具（灯具）１は、車両の前方を照明する前照灯として用いられるものであり、ＬＥＤを光源として用いるものである。車両用灯具１には、図１および図２に示すように、ＬＥＤ（光源）１０と、反射部２０と、レンズ部３０と、点灯装置４０と、筺体５０と、が主に設けられている。
【００２８】
ＬＥＤ１０は、電流が印加されることにより光を出射するものである。ＬＥＤ１０から出射される光束つまり光出力は、ＬＥＤ１０に印加される電流の値が大きくなるに伴い大きくなる。また、同じ値の電流が印加されていても、ＬＥＤ１０の温度が高くなると、ＬＥＤ１０における光出力は低下する。
【００２９】
反射部２０およびレンズ部３０は、ＬＥＤ１０から出射された光が、所定の方向、本実施形態では車両用灯具１の前方に向かって出射されるように導く光学部材である。反射部２０は、ＬＥＤ１０から出射された光が最初に入射する光学部材であり、入射した光をレンズ部３０に向かって反射するものである。本実施形態では、反射部２０はＬＥＤ１０の上方に配置され、ＬＥＤ１０から上方（図２の上方向）に向かって出射された光を水平方向（図２の左方向）に向かって反射させるものである。反射部２０は、断面視において中心がＬＥＤ１０から遠ざかる凹曲面状に形成されたものであり、凹状に凹んだ曲面において光を反射している。
【００３０】
レンズ部３０は、反射部２０によって反射された光が、車両用灯具１の前方における所望の領域に照射されるようにするものである。レンズ部３０は、光を透過させる透光性材料から形成され、車両用灯具１における前方（図２の左側）の面が凸状に突出する曲面を有する形状に形成されている。
【００３１】
筺体５０は、図２に示すように、車両用灯具１の外形を構成するものであり、内部にＬＥＤ１０や、反射部２０や、レンズ部３０や、点灯装置４０などを収納するものである。筺体５０には、車両用灯具１の前方の面を形成するとともに光を透過させる透光部５２と、側方の面や後方の面を形成する本体５１とが主に設けられている。ＬＥＤ１０や、反射部２０や、レンズ部３０や、点灯装置４０などは、本体５１に取り付けられる。また、ＬＥＤ１０から出射された光は、透光部５２を透過して車両用灯具１の前方に向かって出射される。
【００３２】
点灯装置４０は、ＬＥＤ１０を点灯させるとともに、ＬＥＤ１０における光出力を制御するものである。点灯装置４０には、図１から図４に示すように、ＬＥＤ駆動部（駆動部）４１と、制御部４２と、温度測定部４３と、ヒートシンク４４と、が主に設けられている。
【００３３】
ＬＥＤ駆動部４１は、ＬＥＤ１０に印加する電流を供給する電源回路であり、かつ、制御部４２から入力される制御信号に基づいて印加される電流および電圧の値を制御する回路でもある。ＬＥＤ駆動部４１は、制御部４２および温度測定部４３と共に同じ基板上に設けられ、ヒートシンク４４に熱の伝達が可能に取り付けられている。ＬＥＤ駆動部４１を構成する回路のうち、熱の発生量が多い素子が配置されている発熱部４１Ａは、温度測定部４３から離れた位置、例えば、図４における下方に配置されている。
【００３４】
制御部４２は、内蔵された記憶部に書き込まれた各種のプログラムを読み込み、読み込んだプログラム実行することにより各種の情報の演算処理を行う演算処理装置である。例えば、ＬＥＤ１０の発光時における温度が、ＬＥＤ１０の発光を保証する所定温度を超えないように、より好ましくは、所定温度よりも低い所定の温度範囲に収まるように制御するものである。
【００３５】
温度測定部４３は、ヒートシンク４４の温度を測定するものであり、ＬＥＤ１０の近くに配置されるものである。本実施形態では、温度測定部４３としてサーミスタなどの温度測定素子を用いた例に適用して説明する。
【００３６】
ヒートシンク４４は、アルミニウム等の熱伝導性の高い金属、または、これらの合金を材料として形成されたものであり、ＬＥＤ１０の点灯時に発生する熱を放熱させるものである。また、ＬＥＤ駆動部４１において発生する熱、特に発熱部４１Ａにおいて発生する熱を放熱させるものでもある。ヒートシンク４４には、ＬＥＤ１０が熱の伝達可能に取り付けられる光源取付面４４Ａと、ＬＥＤ駆動部４１、制御部４２および温度測定部４３が取り付けられる回路取付部４４Ｂと、熱の放熱に用いられるフィン部４４Ｃと、が主に設けられている。
【００３７】
回路取付部４４Ｂは底を有する四角筒状に形成された部分の底面であり、光源取付面４４Ａは、当該四角筒における上側の外面である。底を有する四角筒は車両用灯具１の前方に向かって開口するように配置され、フィン部４４Ｃは後方に向かって板状の部材が延び、かつ、左右方向に複数の板状の部材が並んで配置された構成を有している。
【００３８】
次に、上記の構成からなる車両用灯具１における照明方法について説明する。
車両の運転手がヘッドランプスイッチをＯＮにする等、車両用灯具１を点灯する指示を入力すると、制御部４２に点灯の指示が入力される。制御部４２は、図１に示すように、ＬＥＤ駆動部４１にＬＥＤ１０へ電流の印加を開始する制御信号を出力する。ＬＥＤ駆動部４１は、予め定められたパターンにしたがって電流および電圧の値を制御しながらＬＥＤ１０への電流の印加を開始する。電流が印加されるとＬＥＤ１０は発光を開始し、上方に配置された反射部２０に向かって光を出射する。ＬＥＤ１０から出射された光は、反射部２０によってレンズ部３０に向かって反射される。反射された光は、レンズ部３０を透過する際に所望の領域を照明するように屈折される。レンズ部３０を透過した光は、更に筺体５０の透光部５２を透過して車両用灯具１の外部へ出射され、車両前方の所望の領域を照明する。
【００３９】
ＬＥＤ１０における発光時には、光の出射が行われると共に熱が発生する。発生した熱の大半は、熱の伝達が可能に接触する光源取付面４４Ａ、つまりヒートシンク４４に伝わる。ヒートシンク４４に伝わった熱は、ヒートシンク４４内を拡散し、フィン部４４Ｃに伝わった熱はフィン部４４Ｃから周囲の空気へ放熱される。
【００４０】
その一方で、ＬＥＤ１０の近くに配置された温度測定部４３は、ＬＥＤ１０で発生した熱を受け取ったことにより温度が上昇したヒートシンク４４の温度を測定し、測定した温度を示す測定信号を出力する。なお、ヒートシンク４４の温度は、外部から熱が伝わる部分に近いほど高く、熱が伝わった部分から離れるに伴い温度が低くなる。そのため、ＬＥＤ１０から熱が伝わる光源取付面４４Ａに近いほど高い。また、ＬＥＤ１０以外の熱源（例えば、発熱部４１Ａ）から離れるほど、当該熱源から伝わった熱による温度上昇の影響が小さくなる。つまり、温度測定部４３をＬＥＤ１０の近くに配置するほど、温度測定部４３は、ＬＥＤ１０によるヒートシンク４４の温度変化を正確に測定することができる。
【００４１】
温度測定部４３から出力された測定信号は制御部４２に入力される。制御部４２は、測定信号から温度測定部４３が測定した温度を算出し、算出した温度からＬＥＤ１０における温度を推定する。アルミニウム等の金属等から形成されたヒートシンク４４における温度分布は、対流等を起こす空気の温度分布などと比較して、シミュレーションや実験などの方法により、高い精度で予め把握することができる。例えば、制御部４２における記憶部には、予め求められた温度測定部４３が配置された位置における温度と、ＬＥＤ１０における温度との関係を表す表（テーブル）が記憶されており、制御部４２は、記憶されたテーブルに基づいてＬＥＤ１０の温度を推定することができる。なお、制御部４２におけるＬＥＤ１０の温度の推定は、上述のように、予め記憶されたテーブルに基づいて行われてもよいし、ＬＥＤ１０の温度を推定するアルゴリズムに基づいて、演算により推定してもよく、特に限定するものではない。
【００４２】
制御部４２は、推定されたＬＥＤ１０の温度と予め定められた所定の温度との比較を行い、推定されたＬＥＤ１０の温度が所定の温度を超えた場合には、ＬＥＤ１０に印加する電流の値を減らす制御信号をＬＥＤ駆動部４１に出力する。このようにすることで、発光時における熱の発生量が多いＬＥＤ１０が混在していても、ＬＥＤ１０の温度が所定の温度以下になるように制御することができる。推定されたＬＥＤ１０の温度が所定の温度以下の場合には、ＬＥＤ１０に印加する電流の値を変更することなく、ＬＥＤ１０を継続して発光させ続ける。
【００４３】
上記の構成によれば、ＬＥＤ１０で発生した熱はヒートシンク４４に伝わり、ヒートシンク４４に伝わった熱は温度測定部４３により測定される。つまり、ＬＥＤ１０の温度は、空気などの流体を介在させることなく、ヒートシンク４４などの固体を介して温度測定部４３により測定される。ヒートシンク４４等の個体は、空気などの流体と異なり、対流などの物質の移動を伴う熱の移動がないため、ヒートシンク４４内における熱の移動を把握しやすい。そのため、ヒートシンク４４におけるＬＥＤ１０が取り付けられている位置と、温度測定部４３が取り付けられている位置と、ヒートシンク４４を構成する材料および形状が予め判れば、温度測定部４３が測定したヒートシンク４４の温度に基づいて、ＬＥＤ１０の温度を精度よく測定することができる。
【００４４】
温度測定部４３がＬＥＤ駆動部４１における発熱部４１Ａから受ける熱の影響よりも、ＬＥＤ１０から受ける熱の影響が大きくなる位置に温度測定部４３を配置することで、温度測定部４３は、ＬＥＤ駆動部４１における発熱部４１Ａの影響を受けることなく、または、発熱部４１Ａの影響を無視して、ヒートシンク４４を介してＬＥＤ１０の温度を測定することができる。
【００４５】
さらに、ヒートシンク４４にＬＥＤ駆動部４１を取付けることにより、ＬＥＤ駆動部４１がＬＥＤ１０およびヒートシンク４４とは独立して別個に配置された特許文献１の車両用前照灯と比較して、点灯装置４０の構成を小型化することができる。さらにＬＥＤ１０の熱を逃がすヒートシンクと、ＬＥＤ駆動部４１の熱を逃がすヒートシンクとを共通化することで、別々にヒートシンクを設けた場合と比較して、点灯装置４０の構成を小型化することができる。これにより、本実施形態の点灯装置４０を備えた車両用灯具１も小型化でき、車両用灯具１を可能な限り小型化したいという車両メーカ側の要望に応えることができる。また、ＬＥＤ駆動部４１からＬＥＤ１０までの距離を短縮することができ、ＬＥＤ駆動部４１とＬＥＤ１０との間の配置される配線を短くすることができる。更に、ＬＥＤ１０に印加される電流にノイズが含まれることを抑制することができる。
【００４６】
〔第１の実施形態の変形例〕
次に、本発明の第１の実施形態の変形例について図５および図６を参照して説明する。
本変形例の車両用灯具の基本構成は、第１の実施形態と同様であるが、第１の実施形態とは、制御部によるＬＥＤに印加される電流の制御が異なっている。よって、本変形例においては、図５および図６を用いてＬＥＤに印加される電流の制御について説明し、その他の構成要素等の説明を省略する。
【００４７】
図５は、本変形例に係る車両用灯具１の制御部４２におけるＬＥＤ１０に印加される電流の制御を説明するフローチャートである。図６（ａ）は、本変形例に係る制御部４２に予め記憶されているＬＥＤ１０に印加される電流の値とＬＥＤ１０から出射される光束との関係を示すグラフであり、図６（ｂ）は、ＬＥＤ１０の温度とＬＥＤ１０から出射される光束との関係を示すグラフである。
【００４８】
本変形例の車両用灯具１における制御部４２（図１参照。）には、図５に示すように、車両の運転手がヘッドランプスイッチをＯＮにする等、車両用灯具１を点灯する指示を入力すると、温度測定部４３から出力された測定信号が入力されると共に、ＬＥＤ１０に印加される電流の値を示す信号が入力される（Ｓ１１）。
【００４９】
制御部４２は、これら入力された信号に基づいて、ＬＥＤ１０から出射された光束、つまり光出力が目標の値に到達しているか否かを判定する（Ｓ１２）。具体的には、制御部４２には、図６（ａ）および図６（ｂ）に示すグラフが記憶されており、入力された信号と、これらグラフに基づいてＬＥＤ１０の光出力を推定する。まず、ＬＥＤ１０に印加される電流の値、および図６（ａ）に示すグラフからＬＥＤ１０における光出力を推定する。さらに、推定された光出力と、温度測定部４３の測定信号に基づいて推定されたＬＥＤ１０の温度と、図６（ｂ）に示すグラフから、ＬＥＤ１０の温度の影響で低下して光出力を推定する。
【００５０】
推定した光出力が、目標の光出力と等しい場合（ＹＥＳの場合）には、Ｓ１１に戻り、上述の制御が繰り返し行われる。推定した光出力が、目標の光出力未満の場合（ＮＯの場合）には、制御部４２は、ＬＥＤ１０の光出力が目標光出力となるようなＬＥＤ１０に印加する電流値の算出を行う（Ｓ１３）。例えば、図６（ａ）のグラフに基づいて、推定した光出力と目標光出力との差を埋めるために必要な電流値の増加分を算出し、ＬＥＤ１０の光出力が目標光出力となる印加電流値を求める。その後、制御部４２は、算出された値の電流をＬＥＤ１０に印加させる制御信号をＬＥＤ駆動部４１に出力する。以後、Ｓ１１に戻り、上述の制御を繰り返して行う。
【００５１】
上記の構成によれば、ＬＥＤ１０における光出力、ひいては車両用灯具１における光出力を目標出力と等しくなるように制御することができる。例えば、同じ値の電流が印加されても光出力が異なるＬＥＤ１０（異なるランクのＬＥＤ１０）が混在していたとしても、ＬＥＤ１０に対して目標光出力と等しい光出力が得られるように印加する電流の値を制御することができる。その結果、ＬＥＤ１０のランク分け（Ｂｉｎｎｉｎｇ）を厳しく行うことなく、ＬＥＤ１０から目標光出力を得ることができる。
【００５２】
なお、制御部４２には、一つの種類のＬＥＤ１０における電流と光出力との関係、および、温度と光出力との関係を示すグラフが記憶されていてもよいし、複数種類のＬＥＤ１０における電流と光出力との関係、および、温度と光出力との関係を示すグラフが記憶されていてもよい。この場合、制御部４２は、電流、温度、光出力の変化が一致するグラフを、これらグラフの中から選び出すことにより、点灯装置４０に取り付けられたＬＥＤ１０の種類を判定することができる。さらに、制御部４２は、判定されたＬＥＤ１０の種類に対応する電流と光出力との関係、および、温度と光出力との関係に基づいて、ＬＥＤ１０に印加する電流を制御することにより、ＬＥＤ１０の発光時における光出力を目標光出力とすることができる。
【００５３】
〔第２の実施形態〕
次に、本発明の第２の実施形態について図７および図８を参照して説明する。
本実施形態の車両用灯具の基本構成は、第１の実施形態と同様であるが、第１の実施形態とは、ＬＥＤおよびヒートシンクを冷却するファンが設けられている点が異なっている。よって、本実施形態においては、図７および図８を用いてファンの構成および制御について説明し、その他の構成要素等の説明を省略する。
【００５４】
図７は、本実施形態の車両用灯具１０１の構成を説明するブロック図であり、図８は、図７の車両用灯具１０１におけるファン１６２の駆動制御を説明するフローチャートである。本実施形態の車両用灯具（灯具）１０１には、図７に示すように、ＬＥＤ１０と、点灯装置４０と、ファン駆動部１６１と、ファン１６２と、が主に設けられている。
【００５５】
ファン駆動部１６１は、ファン１６２を駆動する電流を供給すると共に、ファン１６２の回転数を制御するものである。ファン駆動部１６１には、制御部１４２から制御信号が入力されており、ファン駆動部１６１は、入力された制御信号に従ってファン１６２に供給する電流を制御するものである。ファン駆動部１６１は、点灯装置４０のＬＥＤ駆動部４１や、制御部１４２や、温度測定部４３などと共にヒートシンク４４に配置されている。
【００５６】
ファン１６２は、ＬＥＤ１０およびヒートシンク４４の一方、または、両方に向かって送風し、空気を当てることにより冷却を行うものである。ファン１６２の構成としては、公知の構成を用いることができ、特に限定するものではない。
【００５７】
次に、本実施形態に係る車両用灯具１０１におけるファン１６２の制御について説明する。
本実施形態の車両用灯具１０１における制御部１４２（図７参照。）には、図８に示すように、車両の運転手がヘッドランプスイッチをＯＮにする等、車両用灯具１０１を点灯する指示を入力すると、温度測定部４３から出力された測定信号が入力される（Ｓ１０１）。
【００５８】
さらに、制御部１４２は、これら入力された信号に基づいてＬＥＤ１０の温度を推定し、推定したＬＥＤ１０の温度が目標温度の範囲内に収まっているか否かの判定を行う（Ｓ１０２）。推定したＬＥＤ１０の温度が目標温度の範囲に収まっている場合（ＹＥＳの場合）には、Ｓ１０１に戻り、上述の制御が繰り返し行われる。
【００５９】
推定したＬＥＤ１０の温度が目標温度の範囲から外れている場合（ＮＯの場合）には、制御部１４２は、ファン１６２の回転数の算出を行う（Ｓ１０３）。制御部１４２、ファン１６２によって送風された空気によって冷却されたＬＥＤ１０の温度が、所定の温度未満となるようにファン１６２の回転数を算出する。例えば、推定したＬＥＤ１０の温度が目標温度の範囲よりも高い場合には、制御部１４２は、現在の回転数よりも高い回転数を算出る。制御部１４２は、算出した回転数に基づいて、ファン駆動部１６１がファン１６２に供給すべき電流の値を算出する。さらに、ファン駆動部１６１に対して、算出した電流の値を出力させる制御信号を出力する（Ｓ１０４）。
【００６０】
制御信号が入力されたファン駆動部１６１は、算出された値の電流をファン１６２に対して供給する。ファン１６２は制御部１４２により算出された回転数で回転し、ファン１６２から送風される空気の流量が増大する。これにより、ＬＥＤ１０やヒートシンク４４から空気に奪われる熱の量が増大し、ＬＥＤ１０の温度が目標温度の範囲内に収まる。
【００６１】
制御部１４２は、上述のように、ＬＥＤ１０における温度が所定の温度未満となるようにファン１６２の回転を制御してもよいし、第１の実施形態の変形例と同様に、ＬＥＤ１０における光出力が目標の光出力となるように、ファン１６２の回転数を制御してもよい。例えば、ＬＥＤ１０の温度が高くなり、光出力が目標光出力に満たない場合には、ファン１６２の回転数を増やす制御が行われる。これにより、ＬＥＤ１０の温度が低下し、ＬＥＤ１０の光出力が増加する。
【００６２】
上記の構成によれば、制御部１４２によってヒートシンク４４およびＬＥＤ１０の少なくとも一方に送られる空気の流量が調節され、ＬＥＤ１０における光出力や、ＬＥＤ１０の温度を所定の範囲に収めることができる。
【００６３】
〔第３の実施形態〕
次に、本発明の第３の実施形態について図９および図１０を参照して説明する。
本実施形態の車両用灯具の基本構成は、第１の実施形態と同様であるが、第１の実施形態とは、制御部がＬＥＤに不具合が発生したか否か判定する点が異なっている。よって、本実施形態においては、図９および図１０を用いて制御部による不具合判定について説明し、その他の構成要素等の説明を省略する。
【００６４】
図９は、本実施形態に係る車両用灯具２０１の構成を説明するブロック図であり、図１０は、図９の車両用灯具２０１におけるＬＥＤ１０の不具合発生を判定する処理を説明するフローチャートである。本実施形態の車両用灯具（灯具）２０１には、図７に示すように、ＬＥＤ１０と、点灯装置４０と、ＣＡＮ（Ｃｏｎｔｒｏｌｌｅｒ  Ａｒｅａ  Ｎｅｔｗｏｒｋ）２６１と、が主に設けられている。
【００６５】
ＣＡＮ２６１は、車両用灯具２０１が設けられた車両における車速を測定する車速センサ（図示せず）や、車両外の気温を測定する外気温センサ（図示せず）などと、制御部２４２との間で、情報や信号の送受信を行う車載通信網である。本実施形態では、ＣＡＮ２６１が車速センサにより測定された車両の車速に関する測定信号や、外気温センサにより測定された外気の温度に関する測定信号を制御部２４２に送信する際に用いられる例に適用して説明する。
【００６６】
次に、本実施形態に係る車両用灯具２０１におけるＬＥＤ１０の不具合発生の判定について説明する。
本実施形態の車両用灯具２０１における制御部２４２（図９参照。）には、図１０に示すように、車両の運転手がヘッドランプスイッチをＯＮにする等、車両用灯具２０１を点灯する指示を入力すると、温度測定部４３から出力された測定信号が入力される（Ｓ２０１）。
【００６７】
制御部２４２は、温度測定部４３から入力された測定信号に基づいて、ＬＥＤ１０の温度を推定し、更に、推定した温度の時間変化を算出する（Ｓ２０２）。制御部２４２は、算出した温度の時間変化が正常な範囲に含まれるか否かの判定を行う（Ｓ２０３）。制御部２４２には、ＬＥＤ１０が正常に動作した時の温度の時間変化が予め記憶されている。制御部２４２は、ＣＡＮ２６１を介して入力された車速を示す測定信号や、外気温を示す測定信号を考慮しつつ、算出された温度の時間変化と、記憶された温度の時間変化との対比を行うことで判定を行う。このように、車速や外気温を考慮することで、車両用灯具２０１に当たる風による温度の変動や、外気温の影響を除去した温度の時間変化を用いて判定を行うことができる。
【００６８】
算出した温度の時間変化が正常な範囲に含まれる場合（ＹＥＳの場合）には、Ｓ２０１に戻り、上述の処理が繰り返し行われる。算出した温度の時間変化が正常な範囲から外れた場合（ＮＯの場合）には、制御部２４２は、ＬＥＤ１０にチップショート等の不具合が発生したと判断し、ダイアグノーシスに不具合の発生を知らせる信号を出力する（Ｓ２０４）。
【００６９】
なお、上述のように、ＬＥＤ１０が正常に動作している時の温度の時間変化のみと、対比してＬＥＤ１０の不具合発生を判定してもよいし、ＬＥＤ１０の不具合の種類ごとの温度の時間変化を制御部２４２に予め記憶させておき、これらの温度の時間変化との対比で、ＬＥＤ１０の不具合の種類を判別してもよい。
【００７０】
上記の構成によれば、ＬＥＤ１０におけるチップショートなどの不具合を発見することができる。つまり、ＬＥＤ１０への電流の印加を開始した時点から、温度測定部４３により測定された温度の時間経過に伴う変化が、予め記憶されているＬＥＤ１０が正常に動作している時の変化と同じか異なるかを判定することにより、制御部２４２は、ＬＥＤ１０に不具合が発生しているか否かを判定することができる。更に、不具合の種類ごとに、温度測定部４３により測定された温度の時間経過に伴う変化を予め記憶し、測定された温度の時間経過に伴う変化が、どの変化と一致するか判定することにより、制御部２４２は、ＬＥＤ１０で発生した不具合の種類を判定することも可能である。
【００７１】
〔第４の実施形態〕
次に、本発明の第４の実施形態について図１１から図１４を参照して説明する。
本実施形態の車両用灯具の基本構成は、第１の実施形態と同様であるが、第１の実施形態とは、ＬＥＤから出射される光の方向を上下方向に調節可能である点が異なっている。よって、本実施形態においては、図１１から図１４を用いて光の出射方向を調節する機構について説明し、その他の構成要素等の説明を省略する。
【００７２】
図１１は、本実施形態に係る車両用灯具３０１の構成を説明するブロック図である。本実施形態の車両用灯具（灯具）３０１には、図１１に示すように、ＬＥＤ１０と、点灯装置４０と、ＣＡＮ２６１と、ＬＩＮ（Ｌｏｃａｌ  Ｉｎｔｅｒｃｏｎｎｅｃｔ  Ｎｅｔｗｏｒｋ）３６１と、レベリングモータ３６２と、が主に設けられている。
【００７３】
ＬＩＮ３６１は、制御部３４２から出力された制御信号をレベリングモータ３６２に送信する車載通信網である。
レベリングモータ３６２は、ＬＥＤ１０や、反射部２０や、レンズ部３０など（図１参照。）の配置姿勢を変更するものであり、車両用灯具３０１から出射される光の方向を上下方向に変更するものである。また、レベリングモータ３６２は、制御部３４２から入力された制御信号に基づいて動作するものである。
【００７４】
次に、上記の車両用灯具３０１から出射される光の方向の制御について説明する。
運転者が、車両用灯具３０１から出射される光の方向を上下方向に調節することを意図して、スイッチ等を操作すると、スイッチ等から操作による信号がＣＡＮ２６１を介して制御部３４２に入力される。制御部３４２は入力された信号に基づいて、レベリングモータ３６２を駆動制御する制御信号を生成し、ＬＩＮ３６１を介してレベリングモータ３６２へ制御信号を出力する。制御信号が入力されたレベリングモータ３６２は、ＬＥＤ１０や、反射部２０や、レンズ部３０など配置姿勢の変更を行う。これにより、車両用灯具３０１から出射される光の方向の変更が行われる。
【００７５】
図１２は、図１１の車両用灯具の別の実施例を説明するブロック図である。
なお、上述の実施形態のように、制御部３４２からＬＩＮ３６１を介してレベリングモータ３６２を直接に駆動制御してもよいし、図１２に示すように、制御部３４２からモータドライバ３６１Ａに制御信号を出力し、モータドライバ３６１Ａにおいてレベリングモータ３６２に供給する電流を制御してレベリングモータ３６２の動作を制御してもよい。
【００７６】
図１３は、図１１の車両用灯具の更に別の実施例を説明するブロック図であり、図１４は、図１２の車両用灯具の更に別の実施例を説明するブロック図である。
なお、上述の実施形態のように車両用灯具３０１から出射される光の方向を上下方向にのみ調節可能としてもよいし、図１３および図１４に示すように、左右方向に調節するスイブルモータ３６３を更に設け、スイブルモータ３６３によって、ＬＥＤ１０や、反射部２０や、レンズ部３０などの配置姿勢を変更し、車両用灯具３０１から出射される光の方向を左右方向に変更してもよい。図１３には、制御部３４２がＬＩＮ３６１を介してレベリングモータ３６２やスイブルモータ３６３を駆動制御する実施例が示されている。図１４には、制御部３４２から制御信号が入力されたモータドライバ３６１Ａがレベリングモータ３６２やスイブルモータ３６３を駆動制御する実施例が示されている。
【００７７】
〔第５の実施形態〕
次に、本発明の第５の実施形態について図１５を参照して説明する。
本実施形態の車両用灯具の基本構成は、第１の実施形態と同様であるが、第１の実施形態とは、車両用灯具から出射される光の配光を制御する点が異なっている。よって、本実施形態においては、図１５を用いて光の出射方向を調節する機構について説明し、その他の構成要素等の説明を省略する。
【００７８】
図１５は、本実施形態に係る車両用灯具の構成を説明するブロック図である。本実施形態の車両用灯具（灯具）４０１には、図１５に示すように、ＬＥＤ１０と、点灯装置４０と、ＣＡＮ２６１と、配光制御部４６１と、配光部４６２と、が主に設けられている。
【００７９】
配光制御部４６１は、制御部４４２から出力された制御信号に基づいて配光部４６２に供給する電流を制御するものである。
配光部４６２は、ＬＥＤ１０から出射された光の一部を遮光等することにより、車両用灯具４０１から出射される光の配光特性を制御するものである。本実施形態では、配光部４６２がモータ等によって配置位置等を制御できるシェードである例に適用して説明する。
【００８０】
次に、上記の車両用灯具４０１から出射される配光特性の制御について説明する。
運転者が、車両用灯具４０１から出射される配光特性を調節することを意図して、スイッチ等を操作すると、スイッチ等から操作による信号がＣＡＮ２６１を介して制御部４４２に入力される。制御部４４２は入力された信号に基づいて、配光制御部４６１に入力する制御信号を生成し、配光制御部４６１へ制御信号を出力する。制御信号が入力された配光制御部４６１は、制御信号に基づいて配光部４６２のモータに電流を供給する。電流が供給された配光部４６２では、シェードである配光部４６２が所定の位置に移動し、車両用灯具４０１から出射される配光特性が変更される。
【符号の説明】
【００８１】
１，１０１，２０１，３０１，４０１…車両用灯具（灯具）、１０…ＬＥＤ（光源）、４０…点灯装置、５０…筺体、４１…ＬＥＤ駆動部（駆動部）、４２，１４２…制御部、４３…温度測定部、４４…ヒートシンク、１６２…ファン
【図１】
0005549583.tif 000002
【図２】
0005549583.tif 000003
【図３】
0005549583.tif 000004
【図４】
0005549583.tif 000005
【図５】
0005549583.tif 000006
【図６】
0005549583.tif 000007
【図７】
0005549583.tif 000008
【図８】
0005549583.tif 000009
【図９】
0005549583.tif 000010
【図１０】
0005549583.tif 000011
【図１１】
0005549583.tif 000012
【図１２】
0005549583.tif 000013
【図１３】
0005549583.tif 000014
【図１４】
0005549583.tif 000015
【図１５】
0005549583.tif 000016